(57)【特許請求の範囲】
【請求項１】
前輪と２つの後輪を有する走行可能な台車と、その台車の後輪の上方に設けられ目土を収容するホッパーと、そのホッパーの下方に設けられる下部出口と、その下部出口を通って前記ホッパーから供給される目土を台車の後方に搬送する環状のコンベアーベルトと、前記コンベアーベルトの搬送方向の下流側に設けられ前記コンベアーベルトにより搬送された目土を芝生に散布するブラシとを有する目土散布機において、前記コンベアーベルトは、前記走行可能な台車の２つの後輪の上方にかつ２つの後輪の両方にわたる幅で載置されていること、及び前記コンベアーベルトの搬送方向は、２つの後輪の車軸上で台車の後方に行くに従って低くなるように傾斜され、目土の散布高さが後輪の上端位置より低くなっていることを特徴とする目土散布機。
【発明の詳細な説明】
【技術分野】
【０００１】
本発明は、ゴルフ場・公園などにおいて、芝生に目土（目砂）を散布する目土散布機に関するものである。特に、本発明は、従来のものに比べて目土を芝目の奥深くに効率良く入れることができる目土散布機に関するものである。
【背景技術】
【０００２】
ゴルフ場、公園などでは、芝生の育成のために、芝目間に目土を散布することが行われている。その作業には、台車で走行しながらホッパー内に収容された目土を散布する目土散布機が用いられる。
【０００３】
従来のこの種の目土散布機を、図１を使用して説明する。図１は、従来の目土散布機の全体側面図である。図において、１はエンジン２により自走可能な走行台車で、前輪１ａと後輪１ｂを有し、油圧モータ３によって駆動される。４は目土を入れるホッパーで、走行台車１の後輪１ｂの上方に設けられる。このホッパー４の下方は開放しており、開放部の下にコンベアーベルト５が配設される。６は前記コンベアーベルト５の下流後端に設けられた回転ブラシで、コンベアーベルト５より送り出された目土を地表に勢いよく散布する。７は目砂の送り出し量を調整するシャッターである。８はシャッター７の調整レバーである。
【０００４】
かかる目土散布機は、エンジン２により走行しながら、散布レバー９の操作によってコンベアーベルト５と回転ブラシ６が駆動され、目土はコンベアーベルト５によって台車の後方へ送り出され、回転ブラシ６によって芝生面へ散布される。
【０００５】
この従来の目土散布機を用いて目土を散布する場合、コンベアーベルト５が後輪１ｂの上方に位置しているために、その落下始点高さが高位置となり、一定の散布角度θ°で散布されると、地表面ではその散布幅がＬ１と後方に広くなる。従って、散布された目砂は、芝生の地表面を転がった状態で散布されるので、芝目の奥深くに入らない欠点を有する。
【０００６】
また、この場合、タイヤ径を小径としてコンベアーベルトを低位置に設けることもできるが、使用場所がゴルフ場の特にグリーン上の場合、タイヤの轍を防止する為に、接地圧を軽減する幅広のタイヤが好まれる。しかしながら、小径タイヤでは幅広のものにするにも限度があり、幅広タイヤを選択すると大径となってしまう。
【０００７】
また、別の観点から、散布落下始点高さを低位置にするために、走行台車の後輪を車体の横側に配置して２つの後輪の内側にコンベアーベルトを設け、散布落下始点高さを低位置にした散布機も存在するが（特許文献１の図１，２参照）、この散布機は、散布幅が２つの後輪分だけ狭く、散布幅を広げようとすると車体全体の全幅も広くなって、ゴルフ場・公園等の管理道路を走行する際に制約を受ける問題がある。
【先行技術文献】
【特許文献】
【０００８】
【特許文献１】特開２００５−２１０９３４号公報
【発明の概要】
【発明が解決しようとする課題】
【０００９】
本発明は、かかる従来技術の問題点を解消するために創案されたものであり、その目的は、ホッパーから供給されたコンベアーベルトにより送り出された目土を広い散布幅で芝目の奥深くに効率良く入れることのできる目土散布機を提供することにある。
【課題を解決するための手段】
【００１０】
本発明者は、かかる目的を達成するために鋭意検討した結果、目土を送り出すコンベアーベルトを２つの後輪の上方で車体幅全体にわたって設けたうえで、コンベアーベルトを台車の後方に行くに従って低くなるように傾斜させることによって、上記目的を達成できることを見出し、本発明の完成に至った。
【００１１】
即ち、本発明は、前輪と２つの後輪を有する走行可能な台車と、その台車の後輪の上方に設けられ目土を収容するホッパーと、そのホッパーの下方に設けられる下部出口と、その下部出口を通って前記ホッパーから供給される目土を台車の後方に搬送する環状のコンベアーベルトと、前記コンベアーベルトの搬送方向の下流側に設けられ前記コンベアーベルトにより搬送された目土を芝生に散布するブラシとを有する目土散布機において、前記コンベアーベルトは、前記走行可能な台車の２つの後輪の上方にかつ２つの後輪の両方にわたる幅で載置されていること、及び前記コンベアーベルトの搬送方向は、２つの後輪の車軸上で台車の後方に行くに従って低くなるように傾斜され、目土の散布高さが後輪の上端位置より低くなっていることを特徴とする目土散布機である。
【発明の効果】
【００１２】
本発明の目土散布機は、コンベアーベルトを、後輪の車軸上で台車の後方に行くに従って傾斜されているので、散布始点位置高さが低くなり、コンベアーベルトと回転ブラシから散布される散布角度がθ°が同じであっても、地表面での散布幅を狭くすることができると共に、その散布角度域を、コンベアーベルトを傾斜させた角度分だけ垂直（β°からα°）になるので、目土を芝目の奥深くに入り込ませることができる。更に、本発明の目土散布機は、コンベアーベルトを後輪の上方に車体幅全体にわたって載置しているので、車体幅一杯の散布幅で目土を散布することができる。
【図面の簡単な説明】
【００１３】
【図１】図１は、従来の目土散布機の全体側面図である。
【図２】図２は、本発明の目土散布機の一実施形態を示す全体側面図である。
【図３】図３は、図２の本発明の目土散布機の背面図である。
【発明を実施するための形態】
【００１４】
本発明の目土散布機を図面に基づいて説明するが、本発明はこれらに限定されるものではない。
【００１５】
図２は本発明の目土散布機の一実施形態の全体側面図である。図３は、図２の本発明の目土散布機の背面図である。図において、前述した図１の従来の目土散布機と同一又は相当部分は同一符号を付けて説明を省略する。また、以下においては、本発明の独自の特徴部分に絞って説明する。
【００１６】
本発明の目土散布機では、コンベアーベルト５は２つの後輪１ｂの上方に載置され、後輪１ｂの車軸１ｃ上で走行台車１の後方へ行くに従って低くなるように傾斜されている。従って、本発明の散布機のコンベアーベルトの後端の散布落下始点高さは、図２からわかるように、図１の従来の散布機と比べて低い位置になる。
【００１７】
この場合、図１の散布機と同じ一定の散布角度（θ）で散布されると、本発明の散布機の地表面での散布幅（Ｌ２）は図１の散布機の散布幅（Ｌ１）より狭くなる。従って、本発明の散布機は、散布角度域を図１の散布機に比べて垂直方向に立ち上げることができ、結果として、コンベアーベルトより送り出された目土を芝目の奥深くに入れることができる。
【００１８】
また、本発明の散布機では、図３から良くわかるように、コンベアーベルト５は２つの後輪１ｂの上方に載置され、しかも２つの後輪の両方にわたる幅、即ち車体幅いっぱいに載置されている。従って、本発明の散布機は、車体全体の幅を広げずに散布幅を広く保つことができる。
【産業上の利用可能性】
【００１９】
本発明の目土散布機は、ホッパーから供給されたコンベアーベルトにより送り出された目土を広い散布幅で芝目の奥深くに効率良く入れることのできるので、極めて有用である。
【符号の説明】
【００２０】
１．  走行台車
１ａ．前輪
１ｂ．後輪
１ｃ．後輪車軸
２．  エンジン
３．  油圧モータ
４．  ホッパー
５．  コンベアーベルト
６．  回転ブラシ
７．  シャッター
８．  調整レバー
９．  散布レバー
【図１】
0005462194.tif 000002
【図２】
0005462194.tif 000003
【図３】
0005462194.tif 000004